(57)【要約】      （修正有）【課題】安全かつ確実に乳児がうつ伏せに寝返ることを防止できるうつ伏せ防止具を提供する。【解決手段】乳児がうつ伏せになることを防止するうつ伏せ防止具１００は、乳児の背中が寝床から浮き上がることを抑制する固定ベルト５と、固定ベルト５を乳児の背中側において乳児に連結する乳児側固定手段１と固定ベルト５を寝床側に固定する寝床側固定手段４とを備える。固定ベルト５は、乳児の背中の左右方向に離間した少なくとも２点で乳児の背中を拘束するよう構成されていることが好ましい。寝床側固定手段４は、乳児の下方に敷設される板状部材からなることが好ましく、乳児を寝かせる敷布団の下に敷設されることが好ましい。さらに、うつ伏せ防止具１００は、乳児の肩部を固定する固定ベルト５を備えることが好ましい。【選択図】図８
2017202009.tif 000002
【特許請求の範囲】
【請求項１】
乳児が寝返ってうつ伏せになることを防止するうつ伏せ防止具であって、
乳児の背中が寝床から浮き上がることを抑制する固定ベルトと、
前記固定ベルトを乳児の背中側において乳児に連結する乳児側固定手段と
前記固定ベルトを寝床側に固定する寝床側固定手段と
を備えることを特徴とするうつ伏せ防止具。
【請求項２】
前記固定ベルトは、乳児の背中の左右方向に離間した少なくとも２点で乳児の背中を拘束するよう構成されている請求項１に記載のうつ伏せ防止具。
【請求項３】
前記寝床側固定手段は、乳児の下方に敷設される板状部材からなる請求項１、又は請求項２に記載のうつ伏せ防止具。
【請求項４】
前記寝床側固定手段が乳児を寝かせる敷布団の下に敷設される請求項３に記載のうつ伏せ防止具。
【請求項５】
乳児の肩部を固定する固定ベルトを備える請求項１から請求項４のいずれか１項に記載のうつ伏せ防止具。
【発明の詳細な説明】
【技術分野】
【０００１】
この発明は、乳児がうつ伏せになることによる事故を防止するためのうつ伏せ防止具に関する。
【背景技術】
【０００２】
従来、乳児が寝返りをすることによる事故が頻繁に発生している。これは、寝返りができないだろうと思っていた乳児が、たまたま寝返りに成功してしまうことによるもので、角のある物にぶつかることよる怪我や、ベビーベッド等からの落下による怪我の他、うつ伏せに寝返りした際に布団や枕に顔を埋めて窒息する事故も発生している。
【０００３】
そこで、乳児がうつ伏せに寝返ることを防止する方法が各種提案されており、例えば、特許文献１では、寝かせた乳児の両肩近傍において敷布団と掛布団にフラップを架け渡すことにより、乳児の両肩を押さえて寝返りを防止する乳児用寝具が提案されている。
【０００４】
また、特許文献２では、枕の両側から出脱自在に設けられた袋状部又は折畳部を有し、乳児がうつ伏せに寝返った際に、この引き出した袋状部等に乳児の額が乗っかって窒息を防止するよう構成されたうつぶせ寝し得る枕が提案されている。
【０００５】
また、特許文献３では、布製マットの左右両端にミルク缶等を収容する収納物固定袋を設け、寝返りを打とうとする乳児が、ミルク缶の入った収納物固定袋にぶつかるよう構成された乳児寝返り防止マットが提案されている。
【先行技術文献】
【特許文献】
【０００６】
【特許文献１】実用新案登録第３０８２５５４号公報
【特許文献２】実用新案登録第３０８７１０９号公報
【特許文献３】実用新案登録第３１０６２１４号公報
【発明の概要】
【発明が解決しようとする課題】
【０００７】
しかし、特許文献１の乳児用寝具は、掛布団で肩まで抑えるため、乳児が顔を掛布団の下に潜らせて窒息する虞があり、また、夏場は暑くて使えないという問題が有る。
また、特許文献２の枕では、寝返った際に袋状部で乳児が鼻や口を塞がれる可能性が有る。
また、特許文献３の寝返り防止マットにおいても、乳児が寝返りした際に収納物固定袋に乳児が顔を埋めてしまう虞がある。
【０００８】
本発明は上記課題に鑑みてなされたものであり、安全かつ確実に乳児がうつ伏せに寝返ることを抑制可能なうつ伏せ防止具の提供を目的とする。
【課題を解決するための手段】
【０００９】
上記課題を解決するためになされた発明は、乳児が寝返ってうつ伏せになることを防止するうつ伏せ防止具であって、乳児の背中が寝床から浮き上がることを抑制する固定ベルトと、前記固定ベルトを乳児の背中側において乳児に連結する乳児側固定手段と、前記固定ベルトを寝床側に固定する寝床側固定手段とを備えることを特徴とする。
【００１０】
本発明のうつ伏せ防止具は、このように、乳児の背中を固定ベルトに連結するようにしたので、掛布団で乳児を押さえつける必要がない。また、乳児の両側に設置物を有さないため、これらの設置物に乳児が顔を埋める虞がない。
【００１１】
前記固定ベルトは、乳児の背中の左右方向に離間した少なくとも２点で乳児の背中を拘束するよう構成されていることが好ましい。こうすることで、乳児がうつ伏せに寝返ることをより効果的に抑制することができる。
【００１２】
前記寝床側固定手段は、乳児の下方に敷設される板状部材を備えることが好ましい。こうすることで、乳児の体重で寝床側固定手段を固定できる。
【００１３】
前記寝床側固定手段が乳児を寝かせる敷布団の下に敷設されることが好ましい。こうすることで、乳児を硬い寝床側固定手段の上に寝かせなくて済む。
【００１４】
本発明のうつ伏せ防止具は、乳児の肩部を固定する固定ベルトを備えることが好ましい。こうすることで、さらに効果的に乳児がうつ伏せに寝返ることを抑制できる。
【発明の効果】
【００１５】
以上、説明したように本発明のうつ伏せ防止具によれば、安全かつ確実に乳児がうつ伏せに寝返ることを抑制することができる。
【図面の簡単な説明】
【００１６】
【図１】本発明の一の実施形態に係るうつ伏せ防止具と合わせて用いる乳児服の背面図である。
【図２】本発明の一の実施形態に係るうつ伏せ防止具のシーツの（ａ）平面図、（ｂ）（ａ）におけるＩ−Ｉ線断面図である。
【図３】図２に示したシーツの底面図である。
【図４】本発明の一の実施形態のうつ伏せ防止具に係る敷布団の平面図である。
【図５】本発明の一の実施形態のうつ伏せ防止具に係る寝具側固定手段の平面図である。
【図６】図４の敷布団に図２のシーツを被着した様子を示す底面図である。
【図７】本発明の一の実施形態に係るうつ伏せ防止具の固定バンドを固定する様子を示した要部斜視図である。
【図８】（ａ）本発明の一の実施形態に係るうつ伏せ防止具により乳児の寝返りを防止する様子を乳児の頭側から見た断面図、（ｂ）（ａ）の要部拡大図である。
【発明を実施するための形態】
【００１７】
以下、適宜図面を参照しながら本発明の実施形態について詳述する。図８は、本発明の一の実施の形態に係るうつ伏せ防止具１００を示している。うつ伏せ防止具１００は、図８に示すように、乳児服（乳児側固定手段）１と、シーツ２と、敷布団３と、寝床側固定手段４と、固定ベルト５と、固定金具６とを主に備えている。
尚、本発明は、以下の実施の形態に限られるものではない。
【００１８】
乳児服１は、図１に示すように、いわゆるロンパースからなり、後身頃の背中部に一対のスリット状の背中部貫通孔１１，１１と、後身頃の左右の肩部にそれぞれ一対のスリット状の肩部貫通孔１２，１２が設けられている。
【００１９】
シーツ２は、図２、図３に示すように、長方形の布からなる表布２０と、表布２０の裏面に設けられるゴムベルト２３，２４と、錘袋２５と、平板差し込みポケット２６と、を備えている。
【００２０】
ゴムベルト２３は、表布２０の裏面の長手方向両端に１つずつ合わせて１対が設けられ表布２０の短手方向（図３における左右方向）両端で表布２０に縫合され、表布２０とゴムベルト２３との間に敷布団３を挿通するよう構成されている。
【００２１】
ゴムベルト２４は、表布２０の裏面の長手方向中央において、表布２０の短手方向両端で表布２０に縫合され、表布２０の短手方向の中央で開き戸状に開閉可能に分断されている。ゴムベルト２４は、１対の係止ホック２４ａ，２４ａにより開閉される。
【００２２】
錘袋２５は、ゴムベルト２３の外側から矩形の布片をゴムベルト２３に縫着することにより設けられ、表布２０の短手方向の外側に開口部２５ａを備えている。錘袋２５には、矩形の金属板やゴム板等からなる錘７（図６参照）が収容される。
【００２３】
平板差し込みポケット２６は、矩形の布片からなり、表布２０の長手方向に対向する２辺をゴムベルト２３，２４に縫合され、表布２０の短手方向外側の１辺を、表布２０に縫合されて、表布２０の短手方向の内側に開口部２６ａが形成されている。平板差し込みポケット２６は、左右に対向するようにして２対、計４つが設けられている。
【００２４】
敷布団３は、中綿を側生地で被覆して平面視矩形に形成され、図４に示すように、長手方向の両端部に固定ベルト５を挿通するための背中部貫通孔３１、及び肩部貫通孔３２を備えている。背中部貫通孔３１は、乳児の背中を固定する固定ベルト５を挿通し、背中部貫通孔３１は、乳児の肩部を固定する固定ベルト５を挿通する。
【００２５】
寝床側固定手段４は、図５に示すように、矩形の長板４０と、長板４０に設けられる３つの矩形の貫通孔４４（図６、図７参照）と、貫通孔４４を覆うようにして長板４０の表面に木ねじ４３ａで固定される３つのコ字金型４３とを備えている。中央のコ字金型４３には、乳児の背中を固定する固定ベルト５を挿通するための一対の背中部貫通孔４１，４１が設けられ、両端のコ字金型４３には、乳児の肩部を固定する固定ベルト５を挿通するための一対の肩部貫通孔４２，４２が設けられている。寝床側固定手段４は、その長手方向の両端を平板差し込みポケット２６に差し込んでシーツ２に装着する。寝床側固定手段４は、敷布団３をシーツ２に収容したのち敷布団３の裏側からシーツ２に装着され、使用時には敷布団３の下に敷設される。
【００２６】
固定ベルト５は、図７に示すように、布製のベルトからなり、本実施形態では、乳児の背中と肩部を固定する計３つの固定ベルト５が設けられている。固定ベルト５は、固定金具６により固定される。固定金具６は、一対のスリット状の貫通孔６１，６１と、内部のコイルばねにより貫通孔６１，６１を閉塞する方向に付勢された操作片６２とを備え、コイルばねに抗して操作片６２をスライドさせることにより、貫通孔６１を開いて固定ベルトを挿通し、操作片６２を手放すと貫通孔６１が閉塞されて固定ベルト５が固定されるよう構成されている。
固定金具６は、図７に示すように、寝床側固定手段４の貫通孔４４と、コ字金型４３とで形成される空間に収容可能に構成されている。
【００２７】
詳細には、背中を固定する固定ベルト５は、図８に示すように、乳児服１の一対の背中部貫通孔１１，１１に挿通され、乳児服１の内側において一対の背中部貫通孔１１，１１に架け渡されて乳児服１に連結される。背中を固定する固定ベルト５の両端は、背中部貫通孔１１から乳児服１の外側に引き出されたのち、シーツ２の背中部貫通孔２１、敷布団３の背中部貫通孔３１、寝床側固定手段４の背中部貫通孔４１、及び固定金具６の貫通孔６１に挿通されたのち、固定金具６によりロックされる。固定ベルト５には、締付ける強さの目安とするために目盛が設けられている。
【００２８】
うつ伏せ防止具１００を使用する際には、予め、敷布団３にシーツ２を被せ、寝床側固定手段４を平板差し込みポケット２６に差し込んでおき、乳児に乳児服１を着せておく。そして、乳児を敷布団３の上に寝かせる際に、乳児服１の背中部貫通孔１１，肩部貫通孔１２にそれぞれ固定ベルト５を通し、次に固定ベルト５をシーツ２の背中部貫通孔２１，肩部貫通孔２２、敷布団３の背中部貫通孔３１、及び肩部貫通孔３２，寝床側固定手段４の背中部貫通孔４１、及び肩部貫通孔４２を介して、固定金具６の貫通孔６１に挿通して固定する。この際、固定ベルト５の目盛を頼りに乳児服１と寝床側固定手段４の間の固定ベルト５の長さを調節する。最後に、固定金具６を、寝床側固定手段４の貫通孔４４と、コ字金型４３とで形成される空間に収容する。
【００２９】
この状態で、乳児Ａが仰向けからうつ伏せに寝返ろうとすると、図８に示すように、固定ベルト５が、乳児Ａの背中、及び肩を下方へ引っ張るので、乳児Ａが寝返ることを防止できる。うつ伏せ防止具１００では、乳児のうつ伏せ防止に特別な掛布団を必要としないため、季節に合わせて適宜の掛布団を用いることができる。また、掛布団で乳児を押さえつけたりしないため、掛布団で乳児が窒息することもない。また、周りに特別な設置物を必要としないため乳児が設置物に顔を埋めて窒息することもない。
【００３０】
本発明のうつ伏せ防止具は、上記の実施形態に限られるものではなく、例えば、固定ベルトは、乳児服に縫着してもよく、紐状であってもよい。シーツを寝床側固定手段にしてシーツに固定ベルトを縫着してもよい。板状の寝床側固定手段の上面にクッション材を設けて、寝床側固定手段をシーツの上に載置してもよいし、シーツと敷布団の間に挿入してもよい。こうすることで敷布団に固定ベルトを挿通する貫通孔を設ける必要がなくなる。肩部用の固定ベルトはなくてもよいし、腰部にも固定ベルトを設けるようにしてもよい。乳児側固定手段は、ロンパースに限らず公知の乳児服を適宜に用いることができる他、乳児服に限らず、例えば、幼児に巻きつける帯状のものやハーネス状であってもよい。
【符号の説明】
【００３１】
１００  うつ伏せ防止具
１  乳児服（乳児側固定手段）
２  シーツ
３  敷布団
４  寝床側固定手段
５  固定ベルト
６  固定金具
７  錘
【図１】
2017202009.tif 000003
【図２】
2017202009.tif 000004
【図３】
2017202009.tif 000005
【図４】
2017202009.tif 000006
【図５】
2017202009.tif 000007
【図６】
2017202009.tif 000008
【図７】
2017202009.tif 000009
【図８】
2017202009.tif 000010